【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
横縦比が１：２乃至１：１の間にある異なる色の複数のサブ画素を有する複数の画素ユニットを含む画素アレイの駆動方法であって、
表示される画像を複数の色分量を有する複数の理論的な画素ユニットに区画するステップと、
各サブ画素に、該サブ画素の中心を中心とし、該サブ画素と同行又は同列であり且つ同じ色を有する隣接的なサブ画素の中心と該サブ画素の中心とのラインの中間点を夫々４つの頂点とするひし形サンプリング領域を区画するサブステップと、
各理論的な画素ユニットと該サブ画素のひし形サンプリング領域との重なり面積と、該ひし形サンプリング領域の面積との比を、該サブ画素のひし形サンプリング領域に対する該理論的な画素ユニットの面積割合として算出するサブステップと、
該サブ画素のひし形サンプリング領域に対する各理論的な画素ユニットの面積割合に、該サブ画素と同じ色の該理論的な画素ユニットの色分量を掛けて得られる各積の和を該サブ画素の輝度値とするサブステップとを有する、
区画された各理論的な画素ユニットの色分量に基づき、各画素ユニットの各サブ画素の輝度値を算出するステップとを含む、画素アレイの駆動方法。
【請求項２】
前記画素ユニットは横縦比が２：３であり異なる色を有する３つのサブ画素を含む、請求項１に記載の画素アレイの駆動方法。
【請求項３】
前記複数の理論的な画素ユニットにおける各理論的な画素ユニットの横縦比は１：１である、請求項２に記載の画素アレイの駆動方法。
【請求項４】
前記３つのサブ画素は夫々赤色サブ画素、緑色サブ画素及び青色サブ画素である、請求項３に記載の画素アレイの駆動方法。
【請求項５】
前記画素アレイは、同一の列に位置し、次の行の画素ユニットのサブ画素の左境界と上の行の画素ユニットのサブ画素の下境界の中間点が合わせられ、又は上の行の画素ユニットのサブ画素の左境界と次の行の画素ユニットのサブ画素の上境界の中間点が合わせられるような２つの隣接する画素ユニットを有する複数の画素グループを含む、請求項２に記載の画素アレイの駆動方法。
【請求項６】
前記画素グループは以下の、
上の行の画素ユニットのサブ画素が赤色サブ画素、青色サブ画素及び緑色サブ画素であり、次の行の画素ユニットのサブ画素が緑色サブ画素、赤色サブ画素及び青色サブ画素であり、且つ次の行の画素ユニットのサブ画素の左境界と上の行の画素ユニットのサブ画素の下境界の中間点が合わせられ、
上の行の画素ユニットのサブ画素が青色サブ画素、赤色サブ画素及び緑色サブ画素であり、次の行の画素ユニットのサブ画素が緑色サブ画素、青色サブ画素及び赤色サブ画素であり、且つ次の行の画素ユニットのサブ画素の左境界と上の行の画素ユニットのサブ画素の下境界の中間点が合わせられ、
上の行の画素ユニットのサブ画素が青色サブ画素、緑色サブ画素及び赤色サブ画素であり、次の行の画素ユニットのサブ画素が赤色サブ画素、青色サブ画素及び緑色サブ画素であり、且つ次の行の画素ユニットのサブ画素の左境界と上の行の画素ユニットのサブ画素の下境界の中間点が合わせられ、
上の行の画素ユニットのサブ画素が緑色サブ画素、青色サブ画素及び赤色サブ画素であり、次の行の画素ユニットのサブ画素が赤色サブ画素、緑色サブ画素及び青色サブ画素であり、且つ次の行の画素ユニットのサブ画素の左境界と上の行の画素ユニットのサブ画素の下境界の中間点が合わせられ、
上の行の画素ユニットのサブ画素が緑色サブ画素、赤色サブ画素及び青色サブ画素であり、次の行の画素ユニットのサブ画素が青色サブ画素、緑色サブ画素及び赤色サブ画素であり、且つ次の行の画素ユニットのサブ画素の左境界と上の行の画素ユニットのサブ画素の下境界の中間点が合わせられ、
上の行の画素ユニットのサブ画素が赤色サブ画素、緑色サブ画素及び青色サブ画素であり、次の行の画素ユニットのサブ画素が青色サブ画素、赤色サブ画素及び緑色サブ画素であり、且つ次の行の画素ユニットのサブ画素の左境界と上の行の画素ユニットのサブ画素の下境界の中間点が合わせられ、
上の行の画素ユニットのサブ画素が緑色サブ画素、赤色サブ画素及び青色サブ画素であり、次の行の画素ユニットのサブ画素が赤色サブ画素、青色サブ画素及び緑色サブ画素であり、且つ上の行の画素ユニットのサブ画素の左境界と次の行の画素ユニットのサブ画素の上境界の中間点が合わせられ、
上の行の画素ユニットのサブ画素が緑色サブ画素、青色サブ画素及び赤色サブ画素であり、次の行の画素ユニットのサブ画素が青色サブ画素、赤色サブ画素及び緑色サブ画素であり、且つ上の行の画素ユニットのサブ画素の左境界と次の行の画素ユニットのサブ画素の上境界の中間点が合わせられ、
上の行の画素ユニットのサブ画素が赤色サブ画素、青色サブ画素及び緑色サブ画素であり、次の行の画素ユニットのサブ画素が青色サブ画素、緑色サブ画素及び赤色サブ画素であり、且つ上の行の画素ユニットのサブ画素の左境界と次の行の画素ユニットのサブ画素の上境界の中間点が合わせられ、
上の行の画素ユニットのサブ画素が赤色サブ画素、緑色サブ画素及び青色サブ画素であり、次の行の画素ユニットのサブ画素が緑色サブ画素、青色サブ画素及び赤色サブ画素であり、且つ上の行の画素ユニットのサブ画素の左境界と次の行の画素ユニットのサブ画素の上境界の中間点が合わせられ、
上の行の画素ユニットのサブ画素が青色サブ画素、緑色サブ画素及び赤色サブ画素であり、次の行の画素ユニットのサブ画素が緑色サブ画素、赤色サブ画素及び青色サブ画素であり、且つ上の行の画素ユニットのサブ画素の左境界と次の行の画素ユニットのサブ画素の上境界の中間点が合わせられ、
上の行の画素ユニットのサブ画素が青色サブ画素、赤色サブ画素及び緑色サブ画素であり、次の行の画素ユニットのサブ画素が赤色サブ画素、緑色サブ画素及び青色サブ画素であり、且つ上の行の画素ユニットのサブ画素の左境界と次の行の画素ユニットのサブ画素の上境界の中間点が合わせられるような、各種配列方式における一種又は多種の方式により配列される、請求項５に記載の画素アレイの駆動方法。
【請求項７】
各サブ画素の横縦比が１：２である、請求項１に記載の画素アレイの駆動方法。
【請求項８】
各サブ画素の横縦比が１：１である、請求項１に記載の画素アレイの駆動方法。
【請求項９】
前記画素ユニットが異なる色の４つのサブ画素を含む、請求項１に記載の画素アレイの駆動方法。
【請求項１０】
前記４つのサブ画素が夫々赤色サブ画素、緑色サブ画素、青色サブ画素及び白色サブ画素である、請求項９に記載の画素アレイの駆動方法。
【手続補正２】
【補正対象書類名】明細書
【補正対象項目名】０００７
【補正方法】変更
【補正の内容】
【０００７】
本発明の実施例に基づき、前記画素ユニットは横縦比が２：３であり異なる色を有する３つのサブ画素を含んでもよい。
更に、本発明の実施例に基づき、前記複数の理論的な画素ユニットにおける各理論的な画素ユニットの横縦比は１：１である。
該実施例では、前記３つのサブ画素は夫々赤色サブ画素、緑色サブ画素及び青色サブ画素であってもよい。
【手続補正３】
【補正対象書類名】明細書
【補正対象項目名】００１１
【補正方法】変更
【補正の内容】
【００１１】
本発明の実施例に基づき、各サブ画素の横縦比は１：１であってもよい。
本発明のもう一つの実施例に基づき、前記画素ユニットは異なる色の４つのサブ画素を含んでもよい。
本発明のもう一つの実施例に基づき、４つのサブ画素は夫々赤色サブ画素、緑色サブ画素、青色サブ画素及び白色サブ画素であってもよい。